(57)【要約】【課題】コンクリートに直接水がかからないようにしながらコンクリートのヒビ割れを防ぎ好適な養生を行うための養生保護シートと養生保護装置を提供すること。【解決手段】型枠１に入れたコンクリート２の養生に用いる養生保護シート１１であって、通気性のある基材シート１２に、通気性の無い防水シート１５と、保水性材料でなる保水層１４と、保水層１４の下地となる前記基材シート１２の一部とをこの順に積層した部分で保水部１３を構成した。保水部１３で水分を保持することができ、養生保護シート１１内の温度、湿度の著しい変動を抑えることができる。【選択図】図９
2015063871.tif 000002
【特許請求の範囲】
【請求項１】
型枠に入れたコンクリートの養生に用いる養生保護シートであって、
通気性のある基材シートに保水部を設け、この保水部を、通気性の無い防水シートと、保水性材料でなる保水層と、保水層の下地となる前記基材シートの一部とをこの順に積層した部分で構成する養生保護シート。
【請求項２】
前記保水部の基材シート側の表面に給散水ホースを固定するホース保持具を設けた請求項１記載の養生保護シート。
【請求項３】
前記基材シートの端部に、該基材シートを地面等に固定するためのシート固定用部を設けた請求項１または請求項２記載の養生保護シート。
【請求項４】
請求項１〜請求項３何れか１項記載の養生保護シートと、給散水ホースと、該給散水ホースに対する流水量を測定可能な流量検知装置とを含んでなる養生保護装置。
【発明の詳細な説明】
【技術分野】
【０００１】
本発明は、型枠に入れたコンクリートの主に夏期の養生時に必要な養生保護シートと養生保護装置に関する。
【背景技術】
【０００２】
一般に、コンクリートは打ち込み後十分に硬化するまで養生させることが必要となる。養生の良否は硬化後のコンクリートの性質に大きく影響するからである。ところが、コンクリートの養生の際、太陽光および外気温上昇により、コンクリート内の水分が蒸発しコンクリートにヒビ割れが入る。この点を詳細に述べると、コンクリートの養生は、コンクリートの水和反応によって発生する熱源で、自然乾燥し、固化していくのであるが、夏期の場合、外気温の上昇と太陽光により、コンクリート内の水分が非常に蒸発しやすくなり、乾燥が促進され、部分的に不均一な乾燥状態となり、ヒビ割れが発生しやすくなるのである。
【０００３】
そのため、夏期には太陽光によりコンクリートにヒビ割れが入るのを防ぐために有効な養生補助手段が要求されることになる。従来における養生補助手段としては、例えば、特開平１１−３２４３２７号公報（特許文献１）や特開２０００−１７９１５５号公報（特許文献２）に記載されているような散水による手段が行われていた。しかしながら、前者の散水手段としては、決めた時間毎に、必要な水量の散水を自動的に行うことを単なる目的としているにすぎず、散水の均散化をはかり難く、特に蛇口に近い場所と遠い場所では水圧が変化し易く、有効で均一な散水が望み難いという課題が残る。
【０００４】
また、後者の場合には、スリップフォーム工法という特定された工法において使用される水分付与機構であって、同工法にて用いる滑動型枠の上昇に伴って露出するコンクリート表面と風除けフードの間にて噴霧する水分付与機構であるから、一般的な養生を行うコンクリートに対しては適用できないものであり、しかも噴霧方式の水分付与では水分の均散化をはかり難い課題は依然として残るものであった。
【０００５】
さらに、低温低圧蒸気を利用してコンクリートを加熱し、養生を促進しようとしている特開２０００−２６４７５６号公報（特許文献３）記載の養生システムも提案されているが、養生空間内の空気を送風機に吸い込み、その空気を加温し養生空間内に戻すことにより、きめ細かい温度制御をせねばならず、手数がかかり、装置が大がかりになり、養生現場での設置が面倒でコスト高になり、簡単に採用しづらいものであった。
【０００６】
こうした技術が存在する一方で、コンクリートに水を直接的にあててしまうと、コンクリートの養生に対してあまり好ましくないこともわかってきている。
【先行技術文献】
【特許文献】
【０００７】
【特許文献１】特開平１１−３２４３２７号公報
【特許文献２】特開２０００−１７９１５５号公報
【特許文献３】特開２０００−２６４７５６号公報
【発明の概要】
【発明が解決しようとする課題】
【０００８】
そこで本発明は、コンクリートに直接水がかからないようにしながらコンクリートのヒビ割れを防ぎ好適な養生を行うための養生保護シートと養生保護装置を提供するものである。
【課題を解決するための手段】
【０００９】
上記目的を達成すべく本発明は以下のように構成される。
型枠に入れたコンクリートの養生に用いる養生保護シートであって、通気性のある基材シートに保水部を設け、この保水部を、通気性の無い防水シートと、保水性材料でなる保水層と、保水層の下地となる前記基材シートの一部とをこの順に積層した部分で構成する養生保護シートを提供する。
【００１０】
通気性のある基材シートを用いたため、養生保護シートで覆った内部と外部を通気させることができ、養生保護シートの表裏両側の温度や湿度が著しく異ならないようにすることができる。そのため、養生保護シートで覆った内部が異常な高温や高湿度となることを防止することができる。
そして保水部を設けたため、保水部に散水すれば水分を保持することができ、その水分の蒸発による気化熱の吸収により保水部周辺の温度上昇を抑えることができる。特にこの保水部を、通気性の無い防水シートと、保水性材料でなる保水層と、保水層の下地となる前記基材シートの一部とをこの順に積層した積層構成としたため、通気性のある基材シート側から水分を吸収することができ、保水層で水分を保持することができ、通気性の無い防水シートで、この防水シートを通じては水分が漏れ出さないようにすることができる。そのため、防水シート側は浸水しないことからコンクリートに水がかかるのを防止し、養生保護シート内部の温度上昇を抑えることができる。
【００１１】
保水部の基材シート側の表面には、給散水ホースを固定するホース保持具を設けることができる。保水部の基材シート側の表面に給散水ホースを固定するホース保持具を設けたため、保水部に給散水ホースを固定することができ、保水部の保水層に効果的に注水することができる。また、ホース保持具が目印となって保水部の位置がわかるため、型枠上に適切に養生保護シートを配置することができる。
【００１２】
基材シートの端部には、この基材シートを地面等に固定するためのシート固定用部を設けることができる。例えばハトメなどのシート固定用部を設けることで、風が強いようなときでも養生保護シートを地面等に固定してばたつきを抑えることができる。
【００１３】
さらに、こうした養生保護シートと、給散水ホースと、該給散水ホースに対する流水量を測定可能な流量検知装置とを含んでなる養生保護装置を提供する。
養生保護シートと、給散水ホースと、該給散水ホースに対する流水量を測定可能な流量検知装置とを含んでいるため、現場により異なる型枠の長さや広がりに応じて養生保護シートを配置した際にも、その場に応じた効果的な給散水量を管理、制御することができる。
【発明の効果】
【００１４】
本発明の養生保護シートおよび養生保護装置によれば、夏季のコンクリート養生において、温度の上がり過ぎによるコンクリートのヒビ割れ等の不具合を防止することができる。また、本発明の養生保護シートおよび養生保護装置によれば、コンクリート表面の意匠性や美観を損なうことがない。
【図面の簡単な説明】
【００１５】
【図１】施工時の養生保護シートの使用状態を示す一部切欠斜視図である。
【図２】養生保護シートの平面図である。
【図３】図２のＳＡ−ＳＡ線断面図である。
【図４】図２のＳＢ−ＳＢ線断面図である。
【図５】変更例の図３相当断面図である。
【図６】図２のＳＣ−ＳＣ線断面図である。
【図７】変更例の図６相当断面図である。
【図８】養生保護装置の一例を示す概要図である。
【図９】施工時の養生保護シートの使用状態を示す縦断面図である。
【発明を実施するための形態】
【００１６】
本発明の実施形態につき図面を参照して以下に説明する。
図１は、建物の基礎を作製するために、型枠１に入れて養生が必要なコンクリート２を養生保護シート１１で覆う状態を示した斜視図であり、図２には、この養生保護シート１１の平面図を示す。
【００１７】
図１で示すように、養生保護シート１１は、型枠１に打ち付けたコンクリート２が好適に固化するまで保護するために、型枠１を覆うシートであり、図２で示すように、平面視で矩形状をした通気性のある基材シート１２をベースにして、その一部である中央長手方向に沿って保水部１３を有している。
保水部１３は、図３で示すように、保水性材料でなる保水層１４と、通気性の無い防水シート１５とを基材シート１２の上に積層した部分で構成している。そうした一方で、この保水部１３以外の養生保護シート１１の両端部分は、図４で示すように、基材シート１２で構成されている。
【００１８】
保水部１３の基材シート１２側の表面には、面ファスナー等で給散水ホース１９を固定するホース保持具１７が設けられている。また、養生保護シート１１の端部である四隅および長辺側端部には、この養生保護シート１１を地面に固定できるようにハトメ等を付けたシート固定用部１８を設けている。
【００１９】
基材シート１２に用いる材質は、太陽光が直接にコンクリートに達しないように遮光性であることが好ましく、また、シートで覆った内部が高温になりすぎないよう通気性のあるメッシュ状等のシートが用いられる。このような通気性のあるシートには、通称「シェードクロス」と呼ばれるシートなどのメッシュ状高密度ポリエチレン製樹脂シートや、ポリエステル製基布にポリ塩化ビニルやポリウレタン製の布を溶着させてなるメッシュ状シートを例示することができる。
【００２０】
また、保水層１４に用いられる保水性材料には、保水性のあるポリエステルやナイロン等の繊維や発泡樹脂などが挙げられるが、ポリエステル繊維からなる不織布やナイロン繊維からなる不織布を好適に用いることができる。
【００２１】
防水シート１５には、通気性の無い樹脂シートを用いることができ、例えば、通称「ターポリン」と呼ばれるシートなどの、ポリエステル系繊維からなる基布にポリエチレンやポリ塩化ビニル製の合成樹脂を積層したシートが挙げられる。
【００２２】
保水部１３の端部は、熱圧着や接着剤による接着、縫製等によって、基材シート１２と保水層１４と防水シート１５とを結合するが、内側に保水層１４が入り込むようにして、基材シート１２と防水シート１５とを結合しても良い。特に養生保護シート１１の短手側端部の中央１１ａは、型枠１の上に乗る部分であり、この部分から水分が漏れるとコンクリート２に直接水分がかかるおそれがあるため、図５で示すように、保水層１４を内部に閉じ込めて基材シート１２と防水シート１５とを固着することは好ましい変更形態である。
保水部１３とそれ以外の部分の境界も、図６で示すように、保水層１４の端を剥きだしにして三層を固着する場合の他、図７で示すように、保水層１４を内部に入れて基材シート１２と防水シート１５とで固着することもできるが、型枠１に養生保護シート１１をかぶせたときに、その内側に水分が漏れ難くするには、基材シート１２と防水シート１５とを固着する図７で示した態様の方が好ましい。
【００２３】
養生保護シート１１の大きさは、建物の大きさによって型枠の大きさもまた変わることから、特に定めるものではないが、取り扱いの便宜上、長さが２ｍ〜１０ｍ程度であって、幅は、隙間が出ないように型枠にかぶせられる程度の１ｍ〜８ｍ程度が好ましい。
また、養生保護シート１１の厚みは、基材シート１１が簡単に風などで舞い上がらず、また作業上重くならない程度が好ましく、０．２ｍｍ〜２．０ｍｍ程度であり、保水層１４の厚みは、適量を保水でき、一方で多量の水分を保持しすぎることでシートが撓みコンクリート表面を痛めてしまわないように、５ｍｍ〜２５ｍｍ程度が好ましい。さらに、防水シート１５は、厚すぎるとその端部から水垂れしたり重くなったりし、薄すぎると、傷ついて穴あきが生じ易くなることから、０．２ｍｍ〜０．５ｍｍ程度が好ましい。
【００２４】
給散水ホース１９は、例えばゴムの再生原料とポリエチレンとを配合した相溶性の良好な素材が好ましく、ホース外面から水がにじみ出るポーラス構造体のホース（「シーパーホース（商品名）」）を用いることができる。噴水状に散水したり噴霧状に散水しても良いが、体内から汗がにじみ出るごとくホース外面から水が徐々ににじみ出るようなホースであれば、保水部１３に効果的に水を供給できる点で好ましい。給散水ホース１９からの給水は、タイマーで給水量と時間をコントロールすることができる。
【００２５】
図８には、給散水ホース１９を用いた養生保護装置（散水システム）２０の一例を示す（養生保護シート１１の記載は省略した）。水源（蛇口）にタイマー２１と耐圧ホース２２を連結し、耐圧ホース２２はさらに４口分岐２３を通じて３方に分岐させている。分岐した先にはカプラー２４を介して耐圧ホース２２の先に給散水ホース１９を連結している。さらにカプラー２５を設けることで必要により複数個の給散水ホース１９を連結することができる。そして先端にはストップバルブ２６を設けておく。また、こうした耐圧ホース２２や給散水ホース１９でつながれた配管の一部に流量計２７を設けることが好ましい。具体的には４口分岐２３の前位置と、各分岐先の先端近傍に流量検知装置としての流量計２７を設けることで、配管の上流部分と分岐した先の下流部分との水量の差を把握して給水量の制御を行うことができる。流量計の変わりに水圧計等を設けて、水圧の観点から水の供給量を制御しても良い。
【００２６】
養生保護シート１１の使い方を次に示す（図９参照）。型枠１にコンクリート２を打ち付けた後、この型枠１の上部に保水部１３が位置するようにして、型枠１全体を覆うように養生保護シート１１をかぶせる。このとき、保水部１３の防水シート１５側を型枠側にして、基材シート１２側が表面に出るようにする。
保水部１３に設けたホース保持具１７に給散水ホース１９を配して固定し、定期的にこの給散水ホース１９に給水すれば、給散水ホース１９からしみ出した水は透水性の基材シート１２を透過して保水層１４に到りこの保水層１４で蓄えられる。保水層１４は防水シート１５で塞がれているため、型枠１側へは水は流れ出ない。そのため、コンクリート２に水滴が落ちることを防止して、コンクリート２の表面の意匠性、平滑性、美観を保つことができる。
【００２７】
一方、保水層１４の保水量以上に供給された水は、基材シート１２の表面を伝わって、その表面温度を下げながら地面に流れ落ちる。
給散水ホース１９に給水されない時間は、保水層１４に蓄えられた水が外気温変化やコンクリート硬化時の発熱による急激な温度上昇を防ぐ。即ち、蓄えられた水が基材シート１２を通じて蒸発する際に蒸発潜熱を奪って保水部１３周辺の温度上昇を抑え、型枠１と防水シート１５で囲まれた空間の温度が上がりすぎないようにすることができる。また、養生保護シート１１で覆われた内部は、通気性のある基材シート１２を通じて内外の空気が出入りするため、熱がこもり難く、また、湿度の急激な変動を少なくすることができる。
【００２８】
保水部１３の基材シート１２側に設けるホース保持具１７は、給散水ホース１９を型枠１の上部にとどめることができ、給散水ホース１９から好適に保水層１４へ水分を供給するのに役だっている。また、ホース保持具１７は、保持部１３の位置を示す目印にもなり、養生保護シート１１を型枠１上に適切に配置する際の手助けになる。
養生保護シート１１のシート辺端部や角部に設けたシート固定用部１８は、ハトメ等でシートに穴をあけておくなどしておき、ペグ等の地面への固定・保持手段を用いて地面に固定したり、結びひもなどを設けておき、固定物に結びつけたりすることができる。これにより、養生保護シート１１が風で簡単に舞い上がらないようにすることができ、また作業員が養生保護シート１１の端を足でひっかけたりしないようにすることができる。
【００２９】
なお、水の供給量は程度に制御されることが好ましい。そのためには、気温と湿度、コンクリート温度、風速から水分蒸発量を予測する。一方で、水源から所定の水を供給した際の各末端に到る給散水ホース１９からの水の流出量を流量計２７で測定しておく。そして、予測した水分蒸発量に見合うだけの給水を行えるように、給水回数と給水時間、流量を決定し、それに基づき蛇口の開放程度を調整し、タイマー２１を設定する。こうして水の供給量のコントロールを行うことができる。
【実施例】
【００３０】
以下に実験例を示して本発明をさらに説明する。
（１）養生保護シート(11)の製造
基材シート(12)には、ポリエチレン樹脂からなるシェードシートを、保水部(13)として厚みが２０ｍｍのＰＥＴ系不織布を、防水シート(15)としてＰＶＣ系ターボリンをそれぞれ用いた。また、給散水ホース(19)には、多孔質素材からなり、水が滲み出るタイプ(ユニホース社製、 「シーパーホース（商品名）」)を用いた。養生保護シート(11)の全体寸法は、 長さ方向４０００ｍｍ、 幅方向１８００ｍｍとし、幅方向の中央に６００ｍｍの幅で、基材シート(12)と保水層(14)と防水シート(15)の３層構成となる保水部(13)を設けた。一方で、この保水部(13)の両端の６００ｍｍ幅は、基材シート(12)のみの１層構成としている。また、保水部(13)の基材シート(12)側の表面には、面ファスナーを用いたホース保持具(17)を設けた。
【００３１】
（２）型枠に入れたコンクリートの養生
住宅基礎型枠の上面に保水部(13)の防水シート(15)側が位置するように、先の養生保護シート(11)をかけて型枠を被覆した。保水部(13)には、給散水ホース(19)を配し、 ホース保持具(17)で固定した。給散水ホース(19)への水の供給は、１日に２回の頻度で行った（例１）。また、比較のため、この養生保護シート(11)を用いて水の供給を行わない実験を行った（例２）。さらに、市販のブルーシートで型枠を覆い、水の供給を行わない実験を行った（例３）。そして、型枠内部の温度を約２４時間の間、測定した。結果を次の表で示す。
【００３２】
型枠内部空間温度（℃）
養生保護シート    養生保護シート   ブルーシート
水やり            水無し           水無し          
(1)平均値      ３８．７         ３７．８          ４３．２
(2)最高温度    ５０．１         ６１．４          ６０．９
(3)最低温度    ３２．８         ２９．１          ３４．９
(2)−(3)       １７．３         ３２．３          ２６．０
【００３３】
表で示したように、養生保護シート(11)を用いた場合には、水を供給する場合としない場合との比較で、平均温度に有意差は見られないが、最高温度でみると、水を供給した方が約１０℃低くなり、また最高温度と最低温度の温度差が約１５℃少ない結果となった。養生保護シート(11)を用いて適当な給水をすることで、型枠(1)内の温度変化を少なくすることができ、コンクリート(2)の養生に優れていることがわかる。
また、養生保護シート(11)とブルーシートをともに水無しの場合で比較すると、養生保護シート(11)はブルーシートに比べて平均値（平均温度）や最低温度（夜間）が低くなる。その理由は養生保護シート(11)の保水部(13)以外の部分は、通気性のある基材シート(12)であるため、夜間などの気温の低下があるとその影響を受けやすいものと考えられる。しかしながら、夏期のコンクリート養生には、温度の低下は問題にする必要が無く、温度の上がりすぎに要注意であるため、平均的に温度を低く抑えられる養生保護シート(11)は、ブルーシートよりも好ましい。
よって、養生保護シート(11)は、コンクリート(2)を養生する際に優れたシートであり、また、給散水ホース(19)による散水機構を含めた養生保護装置(20)を利用することは、コンクリート(2)の養生に優れた方法であることがわかる。
【符号の説明】
【００３４】
１    型枠
２    コンクリート
１１    養生保護シート
１１ａ    短手側端部中央
１２    基材シート
１３    保水部
１４    保水層
１５    防水シート
１７    ホース保持具
１８    シート固定用部
１９    給散水ホース
２０    養生保護装置（散水システム）
２１    タイマー
２２    耐圧ホース
２３    ４口分岐
２４，２５    カプラー
２６    ストップバルブ
２７    流量計
【図１】
2015063871.tif 000003
【図２】
2015063871.tif 000004
【図３】
2015063871.tif 000005
【図４】
2015063871.tif 000006
【図５】
2015063871.tif 000007
【図６】
2015063871.tif 000008
【図７】
2015063871.tif 000009
【図８】
2015063871.tif 000010
【図９】
2015063871.tif 000011